(57)【要約】【課題】  上下の紙管容器を同軸上にて安定的に段積み可能にすること。【解決手段】  容器１において、容器本体１０の筒状体１１に設けた下部保持部１１Ａよりも内方から、該筒状体１１と同軸をなして該下部保持部１１Ａよりも下方へ突出する下端突出部３１を該筒状体１１に固定的に備え、上下に段積みされる上側の紙管容器１における容器本体１０の筒状体１１に設けた下端突出部３１が、下側の紙管容器１における蓋体２０の環状体２１に設けた上部保持部２１Ａの内方に入るように設定されてなるもの。【選択図】  図１
2015178380.tif 000002
【特許請求の範囲】
【請求項１】
紙製筒状体の下端部に内方へ突出するように設けた下部保持部に紙製底板を保持してなる容器本体と、紙製環状体の上端部に内方へ突出するように設けた上部保持部に紙製蓋板を保持してなる蓋体とを有し、容器本体の上部に設けた蓋嵌合部に蓋体を着脱可能にしてなり、
上下に段積み可能にされる紙管容器において、
容器本体の筒状体に設けた下部保持部よりも内方から、該筒状体と同軸をなして該下部保持部よりも下方へ突出する下端突出部を該筒状体に固定的に備え、
上下に段積みされる上側の紙管容器における容器本体の筒状体に設けた下端突出部が、下側の紙管容器における蓋体の環状体に設けた上部保持部の内方に入るように設定されてなることを特徴とする紙管容器。
【請求項２】
紙製筒状体の下端部に内方へ突出するように設けた下部保持部に紙製底板を保持してなる容器本体と、紙製環状体の上端部に内方へ突出するように設けた上部保持部に紙製蓋板を保持してなる蓋体とを有し、容器本体の上部に設けた蓋嵌合部に蓋体を着脱可能にしてなり、
上下に段積み可能にされる紙管容器において、
蓋体の環状体に設けた上部保持部よりも内方から、該環状体と同軸をなして該上部保持部よりも上方へ突出する上端突出部を該環状体に固定的に備え、
上下に段積みされる下側の紙管容器における蓋体の環状体に設けた上端突出部が、上側の紙管容器における容器本体の筒状体に設けた下部保持部の内方に入るように設定されてなることを特徴とする紙管容器。
【請求項３】
紙製筒状体の下端部に内方へ突出するように設けた下部保持部に紙製底板を保持してなる容器本体と、紙製環状体の上端部に内方へ突出するように設けた上部保持部に紙製蓋板を保持してなる蓋体とを有し、容器本体の上部に設けた蓋嵌合部に蓋体を着脱可能にしてなり、
上下に段積み可能にされる紙管容器において、
容器本体の筒状体に設けた下部保持部よりも内方から、該筒状体と同軸をなして該下部保持部よりも下方へ突出する下端突出部を該筒状体に固定的に備え、
蓋体の環状体に設けた上部保持部よりも内方から、該環状体と同軸をなして該上部保持部よりも上方へ突出する上端突出部を該環状体に固定的に備え、
上下に段積みされる上側の紙管容器における容器本体の筒状体に設けた下端突出部が、下側の紙管容器における蓋体の環状体に設けた上端突出部に嵌合するように設定されてなることを特徴とする紙管容器。
【請求項４】
前記下端突出部がプラスチック成形体からなり、プラスチック成形体は容器本体の底板と、該容器本体の筒状体に設けた下部保持部との間に挟持されてなる請求項１又は３に記載の紙管容器。
【請求項５】
前記上端突出部がプラスチック成形体からなり、プラスチック成形体は蓋体の蓋板と、該蓋体の環状体に設けた上部保持部との間に挟持されてなる請求項２又は３に記載の紙管容器。
【請求項６】
前記下端突出部が、容器本体の底板に一体成形されてなる請求項１又は３に記載の紙管容器。
【請求項７】
前記上端突出部が、蓋体の蓋板に一体成形されてなる請求項２又は３に記載の紙管容器。
【請求項８】
前記容器本体が筒状体に挿嵌した印籠を構成する中筒を有し、中筒の筒状体より上方へ突出する部分が蓋嵌合部とされてなる請求項１〜７のいずれかに記載の紙管容器。
【発明の詳細な説明】
【技術分野】
【０００１】
本発明は紙管容器に関する。
【背景技術】
【０００２】
従来、紙管容器として、特許文献１に記載の如く、紙製筒状体の下端部に内方へ突出するように設けた下部保持部に紙製底板を保持してなる容器本体と、紙製環状体の上端部に内方へ突出するように設けた上部保持部に紙製蓋板を保持してなる蓋体とを有し、内容物が収容された容器本体の上部に設けた蓋嵌合部に蓋体を着脱可能にしてなるものがある。
【先行技術文献】
【特許文献】
【０００３】
【特許文献１】特開平8-91383号公報
【発明の概要】
【発明が解決しようとする課題】
【０００４】
特許文献１に記載の紙管容器は、店頭での陳列段階で同一形状の他の紙管容器とともに上下に段積みされる。このとき、上下の紙管容器を図１０（Ａ）に示す如くの同軸上にて段積みしようとして、上側の紙管容器における容器本体の筒状体の下端部に設けたカール状の下部保持部を、下側の紙管容器における蓋体の環状体の上端部に設けたカール状の上部保持部の上に載せると、上側の紙管容器の下部保持部が下側の紙管容器の上部保持部に対して横滑りし、横ずれし易く、ひいては地震時等に段積みの荷崩れを生じ易い。下部保持部と上部保持部がカール状をなすとき、その丸み面が上下の横滑り、横ずれを促進する。
【０００５】
従って、多数の紙管容器を高く段積みするときには、図１０（Ｂ）に示す如く、上段側の１個の紙管容器が下段側で相並ぶ２個の紙管容器の上に跨って乗るピラミッド状の段積み形態が採用されるものになる。このため、陳列台の単位床面積当たりの紙管容器の段積み陳列個数が少なく、陳列性が悪い。
【０００６】
本発明の課題は、上下の紙管容器を同軸上にて安定的に段積み可能にすることにある。
【課題を解決するための手段】
【０００７】
請求項１に係る発明は、紙製筒状体の下端部に内方へ突出するように設けた下部保持部に紙製底板を保持してなる容器本体と、紙製環状体の上端部に内方へ突出するように設けた上部保持部に紙製蓋板を保持してなる蓋体とを有し、容器本体の上部に設けた蓋嵌合部に蓋体を着脱可能にしてなり、上下に段積み可能にされる紙管容器において、容器本体の筒状体に設けた下部保持部よりも内方から、該筒状体と同軸をなして該下部保持部よりも下方へ突出する下端突出部を該筒状体に固定的に備え、上下に段積みされる上側の紙管容器における容器本体の筒状体に設けた下端突出部が、下側の紙管容器における蓋体の環状体に設けた上部保持部の内方に入るように設定されてなるようにしたものである。
【０００８】
請求項２に係る発明は、紙製筒状体の下端部に内方へ突出するように設けた下部保持部に紙製底板を保持してなる容器本体と、紙製環状体の上端部に内方へ突出するように設けた上部保持部に紙製蓋板を保持してなる蓋体とを有し、容器本体の上部に設けた蓋嵌合部に蓋体を着脱可能にしてなり、上下に段積み可能にされる紙管容器において、蓋体の環状体に設けた上部保持部よりも内方から、該環状体と同軸をなして該上部保持部よりも上方へ突出する上端突出部を該環状体に固定的に備え、上下に段積みされる下側の紙管容器における蓋体の環状体に設けた上端突出部が、上側の紙管容器における容器本体の筒状体に設けた下部保持部の内方に入るように設定されてなるようにしたものである。
【０００９】
請求項３に係る発明は、紙製筒状体の下端部に内方へ突出するように設けた下部保持部に紙製底板を保持してなる容器本体と、紙製環状体の上端部に内方へ突出するように設けた上部保持部に紙製蓋板を保持してなる蓋体とを有し、容器本体の上部に設けた蓋嵌合部に蓋体を着脱可能にしてなり、上下に段積み可能にされる紙管容器において、容器本体の筒状体に設けた下部保持部よりも内方から、該筒状体と同軸をなして該下部保持部よりも下方へ突出する下端突出部を該筒状体に固定的に備え、蓋体の環状体に設けた上部保持部よりも内方から、該環状体と同軸をなして該上部保持部よりも上方へ突出する上端突出部を該環状体に固定的に備え、上下に段積みされる上側の紙管容器における容器本体の筒状体に設けた下端突出部が、下側の紙管容器における蓋体の環状体に設けた上端突出部に嵌合するように設定されてなるようにしたものである。
【００１０】
請求項４に係る発明は、請求項１又は３に係る発明において更に、前記下端突出部がプラスチック成形体からなり、プラスチック成形体は容器本体の底板と、該容器本体の筒状体に設けた下部保持部との間に挟持されてなるようにしたものである。
【００１１】
請求項５に係る発明は、請求項２又は３に係る発明において更に、前記上端突出部がプラスチック成形体からなり、プラスチック成形体は蓋体の蓋板と、該蓋体の環状体に設けた上部保持部との間に挟持されてなるようにしたものである。
【００１２】
請求項６に係る発明は、請求項１又は３に係る発明において更に、前記下端突出部が、容器本体の底板に一体成形されてなるようにしたものである。
【００１３】
請求項７に係る発明は、請求項２又は３に係る発明において更に、前記上端突出部が、蓋体の蓋板に一体成形されてなるようにしたものである。
【００１４】
請求項８に係る発明は、請求項１〜７のいずれかに係る発明において更に、前記容器本体が筒状体に挿嵌した印籠を構成する中筒を有し、中筒の筒状体より上方へ突出する部分が蓋嵌合部とされてなるようにしたものである。
【発明の効果】
【００１５】
（請求項１）
(a)同一形状の紙管容器を店頭での陳列段階で同軸上にて上下に段積みするとき、上側の紙管容器における容器本体の筒状体に設けた下端突出部が、下側の紙管容器における蓋体の環状体に設けた上部保持部の内方に入るように設定される。従って、上側の紙管容器の下部保持部が下側の紙管容器の上部保持部の上に接して載り、それらの下部保持部と上部保持部がカール状をなす丸味面をもつ等によって互いに僅かに横滑りしたとしても、或いは上側の紙管容器の下端突出部が下側の紙管容器の蓋板の上に接して載った状態で僅かに横滑りしたとしても、上側の紙管容器の下端突出部が下側の紙管容器の上部保持部の内周面に衝合して横ずれ防止される。このため、複数の紙管容器を同軸上にて安定的に高く段積みでき、地震時等における段積みの荷崩れを回避し、陳列台の単位床面積当たりの段積み陳列個数を多くでき、陳列性を向上できる。
【００１６】
(b)容器本体に設けた下端突出部はその筒状体に固定的に備えられる。従って、使用者は、陳列の前後で、下端突出部を容器本体に着脱する必要がなく、使い勝手が良い。
【００１７】
(c)容器本体に設けた下端突出部が、その筒状体の下端部に設けた下部保持部よりも下方へ突出している。従って、紙管容器をテーブル面等に置いたとき、容器本体が下端突出部の存在分だけ底上げされ、テーブル面上の水分等が容器本体の内部に及びにくく、内容物を湿気にくくする。この効果は、下端突出部がプラスチック成形体からなるとき、より顕著になる。
【００１８】
（請求項２）
(d)同一形状の紙管容器を店頭での陳列段階で同軸上にて上下に段積みするとき、下側の紙管容器における蓋体の環状体に設けた上端突出部が、上側の紙管容器における容器本体の筒状体に設けた下部保持部の内方に入るように設定される。従って、上側の紙管容器の下部保持部が下側の紙管容器の上部保持部の上に接して載り、それらの下部保持部と上部保持部がカール状をなす丸味面をもつ等によって互いに僅かに横滑りしたとしても、或いは上側の紙管容器の底板が下側の紙管容器の上端突出部の上に接して載った状態で僅かに横滑りしたとしても、下側の紙管容器の上端突出部が上側の紙管容器の下部保持部の内周面に衝合して横ずれ防止される。このため、複数の紙管容器を同軸上にて安定的に高く段積みでき、地震時等における段積みの荷崩れを回避し、陳列台の単位床面積当たりの段積み陳列個数を多くでき、陳列性を向上できる。
【００１９】
(e)蓋体に設けた上端突出部はその環状体に固定的に備えられる。従って、使用者は、陳列の前後で、上端突出部を蓋体に着脱する必要がなく、使い勝手が良い。
【００２０】
（請求項３）
(f)同一形状の紙管容器を店頭での陳列段階で同軸上にて上下に段積みするとき、上側の紙管容器における容器本体の筒状体に設けた下端突出部が、下側の紙管容器における蓋体の環状体に設けた上側突出部に嵌合するように設定される。従って、上側の紙管容器の下部保持部が下側の紙管容器の上部保持部の上に接して載り、それらの下部保持部と上部保持部がカール状をなす丸味面をもつ等によって互いに僅かに横滑りしたとしても、或いは上側の紙管容器の下端突出部が下側の紙管容器の上端突出部の内側凹み面の上に接して載った状態で僅かに横滑りしたとしても、上側の紙管容器の下端突出部が下側の紙管容器の上端突出部の内周面に衝合して横ずれ防止される。このため、複数の紙管容器を同軸上にて安定的に高く段積みでき、地震時等における段積みの荷崩れを回避し、陳列台の単位床面積当たりの段積み陳列個数を多くでき、陳列性を向上できる。
【００２１】
(g)容器本体と蓋体のそれぞれに設けた下端突出部と上端突出部はそれらの筒状体と環状体に固定的に備えられる。従って、使用者は、陳列の前後で、下端突出部と上端突出部を容器本体と蓋体に着脱する必要がなく、使い勝手が良い。
【００２２】
(h)容器本体に設けた下端突出部が、その筒状体の下端部に設けた下部保持部よりも下方へ突出している。従って、紙管容器をテーブル面等に置いたとき、容器本体が下端突出部の存在分だけ底上げされ、テーブル面上の水分等が容器本体の内部に及びにくく、内容物を湿気にくくする。この効果は、下端突出部がプラスチック成形体からなるとき、より顕著になる。
【００２３】
（請求項４）
(i)プラスチック成形体からなる下端突出部が、容器本体の製作時に、底板とともに組み込まれ、容器本体の筒状体に設けた下部保持部と底板との間に挟持され、容器本体の筒状体に簡易に固定化される。
【００２４】
（請求項５）
(j)プラスチック成形体からなる上端突出部が、蓋体の製作時に、蓋板とともに組み込まれ、蓋体の環状体に設けた上部保持部と蓋板との間に挟持され、蓋体の環状体に簡易に固定化される。
【００２５】
（請求項６）
(k)下端突出部が、容器本体の底板に一体成形され、簡易に形成される。
【００２６】
（請求項７）
(l)上端突出部が、蓋体の蓋板に一体成形され、簡易に形成される。
【００２７】
（請求項８）
(m)印籠式紙管容器においては、容器本体の筒状体と蓋体の環状体とが同一径になり、結果として容器本体の下部保持部と蓋体の上部保持部とが同一径となる。これにより、容器本体の下部保持部から下方に突出するように設けた下端突出部の外径と、蓋体の上部保持部の内径との隙間Ｇは可及的に小となる。また、蓋体の上部保持部から上方に突出するように設けた上端突出部の外径と、容器本体の下部保持部の内径との隙間Ｇは可及的に小となる。従って、印籠式紙管容器の段積み時には、上側の紙管容器の下端突出部が下側の紙管容器の上部保持部の内周面に衝合するまでの横ずれ量、もしくは上側の紙管容器の下部保持部が下側の紙管容器の上端突出部の外周面に衝合するまでの横ずれ量が上記小隙間Ｇの範囲で最小化され、段積み安定性を向上できる。
【図面の簡単な説明】
【００２８】
【図１】図１は実施例1を示し、（Ａ）は紙管容器を示す模式断面図、（Ｂ）は紙管容器の段積み状態を示す模式断面図である。
【図２】図２は紙管容器の段積み状態を示す模式斜視図である。
【図３】図３はプラスチック成形体を示す模式斜視図である。
【図４】図４は実施例２を示し、（Ａ）は紙管容器を示す模式断面図、（Ｂ）は紙管容器の段積み状態を示す模式断面図である。
【図５】図５は実施例３を示し、（Ａ）は紙管容器を示す模式断面図、（Ｂ）は紙管容器の段積み状態を示す模式断面図である。
【図６】図６は実施例４を示し、（Ａ）は紙管容器を示す模式断面図、（Ｂ）は紙管容器の段積み状態を示す模式断面図である。
【図７】図７は紙管容器の段積み状態を模式斜視図である。
【図８】図８は実施例５を示し、（Ａ）は紙管容器を示す模式断面図、（Ｂ）は紙管容器の段積み状態を示す模式断面図である。
【図９】図９は実施例６を示し、（Ａ）は紙管容器を示す模式断面図、（Ｂ）は紙管容器の段積み状態を示す模式断面図である。
【図１０】図１０は紙管容器の段積み形態の例を示す模式図である。
【発明を実施するための形態】
【００２９】
（実施例１）（図１〜図４）
図１に示した紙管容器１は、内容物が収容された容器本体１０の開口部１０Ａに蓋体２０を着脱可能にするものである。
【００３０】
容器本体１０は、円筒状をなす紙製筒状体１１の下端部に内方へ突出するように設けたカール状の下部保持部１１Ａに紙製底板（面子）１２を落とし込んで保持する。下部保持部１１Ａは筒状体１１の下端エッジをカール状に丸め成形したものである。尚、容器本体１０は、筒状体１１の上端エッジをカール状に丸め成形した上端縁部１１Ｂとしている。
【００３１】
蓋体２０は、円環状をなす紙製環状体２１の上端部に内方へ突出するように設けたカール状の上部保持部２１Ａに紙製蓋板（面子）２２を落とし込んで保持する。上部保持部２１Ａは環状体２１の上端エッジをカール状に丸め成形したものである。
【００３２】
紙管容器１は、容器本体１０の上部（筒状体１１の上端部を含む一定長範囲）外周に定めた蓋嵌合部１１Ｃに、蓋体２０を着脱可能に嵌合できる。尚、容器本体１０と蓋体２０は、それらの筒状体１１と環状体２１の紙板厚を同一にしている。
【００３３】
紙管容器１は、店頭での陳列段階で、同一形状の他の紙管容器１とともに上下に段積みされる（図１０（Ａ））。このとき、紙管容器１は、他の紙管容器１と同軸上にて安定的に段積み可能になるように、以下の構成を具備する。
【００３４】
紙管容器１は、容器本体１０の筒状体１１に設けた下部保持部１１Ａよりも内方（内径側）から、該筒状体１１と同軸をなして該下部保持部１１Ａよりも下方へ突出する下端突出部３１を該筒状体１１に固定的に備える。
【００３５】
下端突出部３１は、図３に示す如くのプラスチック成形体３０にて形成される。プラスチック成形体３０は、円板状をなす平板の外縁側を環状フランジ部３０Ｆとし、フランジ部３０Ｆの内周側にて環状をなす突条部３０Ｐを突出形成するとともに、突条部３０Ｐの内周側に凹み面３０Ｌを形成し、この突条部３０Ｐを下端突出部３１とする。
【００３６】
プラスチック成形体３０は、フランジ部３０Ｆが容器本体１０の底板１２と、該容器本体１０の筒状体１１に設けた下部保持部１１Ａとの間に挟持され、筒状体１１に組み込み一体化される。プラスチック成形体３０の突条部３０Ｐが筒状体１１の下部保持部１１Ａよりも内方から、該下部保持部１１Ａよりも下方へ突出して下端突出部３１を形成する。このとき、底板１２の外周面が筒状体１１の筒内面に軽圧入され、及び／又は、筒状体１１の筒内面に接着される。プラスチック成形体３０のフランジ部３０Ｆの上下面が底板１２の下面と筒状体１１の下部保持部１１Ａの上面に接着されても良い。
【００３７】
そして、複数の紙管容器１の段積み状態では、図１、図２に示す如く、上下に段積みされる上側の紙管容器１における容器本体１０の筒状体１１に設けた下端突出部３１が、下側の紙管容器１における蓋体２０の環状体２１に設けた上部保持部２１Ａの内方に入るように設定される。上側の紙管容器１の下部保持部１１Ａが下側の紙管容器１の上部保持部２１Ａの上に接して載っても良いし、上側の紙管容器１の下端突出部３１が下側の紙管容器１の蓋板２２の上に接して載っても良い。
【００３８】
従って、本実施例によれば以下の作用効果を奏する。
(a)同一形状の紙管容器１を店頭での陳列段階で同軸上にて上下に段積みするとき、上側の紙管容器１における容器本体１０の筒状体１１に設けた下端突出部３１が、下側の紙管容器１における蓋体２０の環状体２１に設けた上部保持部２１Ａの内方に入るように設定される。従って、上側の紙管容器１の下部保持部１１Ａが下側の紙管容器１の上部保持部２１Ａの上に接して載り、それらの下部保持部１１Ａと上部保持部２１Ａがカール状をなす丸味面をもつ等によって互いに僅かに横滑りしたとしても、或いは上側の紙管容器１の下端突出部３１が下側の紙管容器１の蓋板２２の上に接して載った状態で僅かに横滑りしたとしても、上側の紙管容器１の下端突出部３１が下側の紙管容器１の上部保持部２１Ａの内周面に衝合して横ずれ防止される。このため、複数の紙管容器１を同軸上にて安定的に高く段積みでき、地震時等における段積みの荷崩れを回避し、陳列台の単位床面積当たりの段積み陳列個数を多くでき、陳列性を向上できる。
【００３９】
(b)容器本体１０に設けた下端突出部３１はその筒状体１１に固定的に備えられる。従って、使用者は、陳列の前後で、下端突出部３１を容器本体１０に着脱する必要がなく、使い勝手が良い。
【００４０】
(c)容器本体１０に設けた下端突出部３１が、その筒状体１１の下端部に設けた下部保持部１１Ａよりも下方へ突出している。従って、紙管容器１をテーブル面等に置いたとき、容器本体１０が下端突出部３１の存在分だけ底上げされ、テーブル面上の水分等が容器本体１０の内部に及びにくく、内容物を湿気にくくする。この効果は、下端突出部３１がプラスチック成形体からなるとき、より顕著になる。
【００４１】
(d)プラスチック成形体３０からなる下端突出部３１が、容器本体１０の製作時に、底板１２とともに組み込まれ、容器本体１０の筒状体１１に設けた下部保持部１１Ａと底板１２との間に挟持され、容器本体１０の筒状体１１に簡易に固定化される。
【００４２】
（実施例２）（図４）
実施例２の紙管容器２が実施例１の紙管容器１と異なる点は、図４に示す如く、蓋体２０の側に上端突出部４１を設けたことにある。尚、紙管容器２において、紙管容器１におけると同様の部分には同一の符号を付して説明を省略する。
【００４３】
即ち、紙管容器２は、蓋体２０の環状体２１に設けた上部保持部２１Ａよりも内方（内径側）から、該環状体２１と同軸をなして該上部保持部２１Ａよりも上方へ突出する上端突出部４１を該環状体２１に固定的に備える。
【００４４】
上端突出部４１はプラスチック成形体４０にて形成される。プラスチック成形体４０は、実施例１のプラスチック成形体３０と同様であり、環状フランジ部４０Ｆと凹み面４０Ｌと突条部４０Ｐを備える。
【００４５】
プラスチック成形体４０は、フランジ部４０Ｆが蓋体２０の蓋板２２と、該蓋体２０の環状体２１に設けた上部保持部２１Ａとの間に挟持され、環状体２１に組み込み一体化される。プラスチック成形体４０の突条部４０Ｐが環状体２１の上部保持部２１Ａよりも内方から、該上部保持部２１Ａよりも上方へ突出して上端突出部４１を形成する。このとき、蓋板２２の外周面が環状体２１の環内面に軽圧入され、及び／又は、環状体２１の環内面に接着される。プラスチック成形体４０のフランジ部４０Ｆの上下面が蓋板２２の上面と環状体２１の上部保持部２１Ａの下面に接着されても良い。
【００４６】
そして、複数の紙管容器２の段積み状態では、図４に示す如く、上下に段積みされる下側の紙管容器２における蓋体２０の筒状体２１に設けた上端突出部４１が、上側の紙管容器２における容器本体１０の筒状体１１に設けた下部保持部１１Ａの内方に入るように設定される。上側の紙管容器２の下部保持部１１Ａが下側の紙管容器２の上部保持部２１Ａの上に接して載っても良いし、上側の紙管容器２の蓋板２２が下側の紙管容器２の上端突出部４１の上に接して載っても良い。
【００４７】
従って、本実施例によれば以下の作用効果を奏する。
(a)同一形状の紙管容器２を店頭での陳列段階で同軸上にて上下に段積みするとき、下側の紙管容器２における蓋体２０の環状体２１に設けた上端突出部４１が、上側の紙管容器２における容器本体１０の筒状体１１に設けた下部保持部１１Ａの内方に入るように設定される。従って、上側の紙管容器２の下部保持部１１Ａが下側の紙管容器２の上部保持部２１Ａの上に接して載り、それらの下部保持部１１Ａと上部保持部２１Ａがカール状をなす丸味面をもつ等によって互いに僅かに横滑りしたとしても、或いは上側の紙管容器２の底板１２が下側の紙管容器２の上端突出部４１の上に接して載った状態で僅かに横滑りしたとしても、下側の紙管容器２の上端突出部４１が上側の紙管容器２の下部保持部１１Ａの内周面に衝合して横ずれ防止される。このため、複数の紙管容器２を同軸上にて安定的に高く段積みでき、地震時等における段積みの荷崩れを回避し、陳列台の単位床面積当たりの段積み陳列個数を多くでき、陳列性を向上できる。
【００４８】
(b)蓋体２０に設けた上端突出部４１はその環状体２１に固定的に備えられる。従って、使用者は、陳列の前後で、上端突出部４１を蓋体２０に着脱する必要がなく、使い勝手が良い。
【００４９】
(c)プラスチック成形体４０からなる上端突出部４１が、蓋体２０の製作時に、蓋板２２とともに組み込まれ、蓋体２０の環状体２１に設けた上部保持部２１Ａと蓋板２２との間に挟持され、蓋体２０の環状体２１に簡易に固定化される。
【００５０】
（実施例３）（図５）
実施例３の紙管容器２は、図５に示す如く、実施例１の紙管容器１における下端突出部３１と実質的に同形態の下端突出部３１を容器本体１０に設けるとともに、実施例２の紙管容器２における下端突出部４１と実質的に同形態の上端突出部４１を蓋体２０に設けた。尚、紙管容器３において、紙管容器１におけると同様の部分には同一の符号を付して説明を省略する。但し、実施例１、２、３の紙管容器１、２、３が同一サイズをなすとき、紙管容器３の下端突出部３１は紙管容器１の下端突出部３１より小径とされ、紙管容器３の上端突出部４１は紙管容器２の上端突出部４１より大径とされる等の変形があっても良い。
【００５１】
そして、複数の紙管容器３の段積み状態では、図５に示す如く、上下に段積みされる上側の紙管容器３における容器本体１０の筒状体１１に設けた下端突出部３１が、下側の紙管容器３における蓋体２０の環状体２１に設けた上端突出部４１の内側（内周側）に嵌合するように設定される。下端突出部３１が上端突出部４１の外側（外周側）に嵌合するように設定されても良い。上側の紙管容器３の下部保持部１１Ａが下側の紙管容器３の上部保持部２１Ａの上に接して載っても良いし、上側の紙管容器３の下端突出部３１が下側の紙管容器３のプラスチック成形体４０の内側凹み面４０Ｌの上に接して載っても良い。
【００５２】
従って、本実施例によれば以下の作用効果を奏する。
(a)同一形状の紙管容器３を店頭での陳列段階で同軸上にて上下に段積みするとき、上側の紙管容器３における容器本体１０の筒状体１１に設けた下端突出部３１が、下側の紙管容器３における蓋体２０の環状体２１に設けた上側突出部に嵌合するように設定される。従って、上側の紙管容器３の下部保持部１１Ａが下側の紙管容器３の上部保持部２１Ａの上に接して載り、それらの下部保持部１１Ａと上部保持部２１Ａがカール状をなす丸味面をもつ等によって互いに僅かに横滑りしたとしても、或いは上側の紙管容器３の下端突出部３１が下側の紙管容器３の上端突出部４１の内側凹み面４０Ｌの上に接して載った状態で僅かに横滑りしたとしても、上側の紙管容器３の下端突出部３１が下側の紙管容器３の上端突出部４１の内周面に衝合して横ずれ防止される。このため、複数の紙管容器３を同軸上にて安定的に高く段積みでき、地震時等における段積みの荷崩れを回避し、陳列台の単位床面積当たりの段積み陳列個数を多くでき、陳列性を向上できる。
【００５３】
(b)容器本体１０と蓋体２０のそれぞれに設けた下端突出部３１と上端突出部４１はそれらの筒状体１１と環状体２１に固定的に備えられる。従って、使用者は、陳列の前後で、下端突出部３１と上端突出部４１を容器本体１０と蓋体２０に着脱する必要がなく、使い勝手が良い。
【００５４】
尚、本実施例によれば実施例１の(c)、(d)、実施例２の(c)の作用効果も奏する。
【００５５】
（実施例４、５）（図６、図７、図８）
実施例４、５の紙管容器４、５が実施例１の紙管容器１と異なる点は、図６、図８に示す如く、容器本体１０が筒状体１１に軽圧入及び／又は接着剤を介して挿嵌した印籠を構成する円筒状の紙製中筒１３を有し、中筒１３の筒状体１１より上方へ突出する部分を蓋嵌合部１１Ｃとしたことにある。紙管容器４、５は印籠式となり、容器本体１０の中筒１３からなる蓋嵌合部１１Ｃに蓋体２０を嵌合したとき、容器本体１０の筒状体１１と蓋体２０の環状体２１は同一径をなす。尚、紙管容器４、５において、紙管容器１におけると同様の部分には同一の符号を付して説明を省略する。
【００５６】
従って、この印籠式紙管容器４、５においては、容器本体１０の筒状体１１と蓋体２０の環状体２１とが同一径になり、結果として容器本体１０の下部保持部１１Ａと蓋体２０の上部保持部２１Ａとが同一径となる。これにより、容器本体１０の下部保持部１１Ａから下方に突出するように設けた下端突出部３１の外径と、蓋体２０の上部保持部２１Ａの内径との隙間Ｇは可及的に小となる。また、蓋体２０の上部保持部２１Ａから上方に突出するように設けた上端突出部４１の外径と、容器本体１０の下部保持部１１Ａの内径との隙間Ｇは可及的に小となる。従って、印籠式紙管容器４、５の段積み時には、図６、図７、図８に示す如く、上側の紙管容器４の下端突出部３１が下側の紙管容器４の上部保持部２１Ａの内周面に衝合までの横ずれ量、もしくは上側の紙管容器５の上部保持部２１Ａが下側の紙管容器５の上端突出部４１の外周面に衝合するまでの横ずれ量が上記小隙間Ｇの範囲で最小化され、段積み安定性を向上できる。
【００５７】
（実施例６）（図１４、図１５）
実施例６の紙管容器６が実施例１の紙管容器１と異なる点は、図９に示す如く、容器本体１０の筒状体１１に設けられる下端突出部３１が該容器本体１０の底板１２と一体成形されたことにある。本実施例では、底板１２がパルプ成形され、円板状をなす平板の外縁側を環状フランジ部１２Ｆとし、フランジ部１２Ｆの内周側にて環状をなす突条部１２Ｐを突出形成するとともに、突条部１２Ｐの内周側に凹み面１２Ｌを形成し、この突条部１２Ｐを下端突出部３１とする。
【００５８】
従って、下端突出部３１が、容器本体１０の底板１２に一体成形され、簡易に形成される。
【００５９】
尚、実施例２の紙管容器２における蓋体２０の環状体２１に設けられる上端突出部４１を、蓋体２０の蓋板２２と一体成形することもできる。
【００６０】
以上、本発明の実施例を図面により詳述したが、本発明の具体的な構成はこの実施例に限られるものではなく、本発明の要旨を逸脱しない範囲の設計の変更等があっても本発明に含まれる。前述した紙管容器１〜６は容器本体１０、蓋体２０が円筒状をなす丸管容器としたが、容器本体１０、蓋体２０が四角筒等の角筒状をなす（底板１２、蓋板２２の面子を四角板等とする）角管容器としても良い。
【産業上の利用可能性】
【００６１】
本発明によれば、上下の紙管容器を同軸上にて安定的に段積みできる。
【符号の説明】
【００６２】
１〜６  紙管容器
１０  容器本体
１１  筒状体
１１Ａ  下部保持部
１１Ｃ  蓋嵌合部
１２  底板
１３  中筒
２０  蓋体
２１  環状体
２１Ａ  上部保持部
２２  蓋板
３０  プラスチック成形体
３１  下端突出部
４０  プラスチック成形体
４１  上端突出部
【図１】
2015178380.tif 000003
【図２】
2015178380.tif 000004
【図３】
2015178380.tif 000005
【図４】
2015178380.tif 000006
【図５】
2015178380.tif 000007
【図６】
2015178380.tif 000008
【図７】
2015178380.tif 000009
【図８】
2015178380.tif 000010
【図９】
2015178380.tif 000011
【図１０】
2015178380.tif 000012